(57)【要約】【課題】電線が接続されるコネクタであって、他のコネクタにも接続可能であり、簡素な構成で小型でありながらも、電線を機器に接続するとともに、中継も可能で利便性が高くなるようにする。【解決手段】第２コネクタ１０１及び第３コネクタ２０１と嵌合可能なコネクタであって、ハウジングと、該ハウジングに装填され、前記第３コネクタ２０１が備える第３端子と接触可能な端子と、前記ハウジングに装填され、少なくとも前記第２コネクタ１０１が備える第２端子と接触可能な連結端子とを備え、前記端子は、前記ハウジングに接続されるケーブルが含む電線に接続可能な電線接続部と、前記第３端子と接触可能な接触部とを含み、前記電線接続部と接触部とは、嵌合方向と直交する方向に関する位置がずれている。【選択図】図１
2020095944.tif 000002
【特許請求の範囲】
【請求項１】
（ａ）第１コネクタ、第２コネクタ及び第３コネクタから成り、
（ｂ）前記第２コネクタは、電線の終端に接続され、
（ｃ）前記第３コネクタは、機器に取付けられ、
（ｄ）前記第１コネクタは、前記第２コネクタと第３コネクタとの間において前記第２コネクタと第３コネクタとに嵌合されて接続され、前記電線から供給された信号又は電力を分岐するコネクタ組立体であって、
（ｅ）前記第１コネクタは、第１ハウジングと、該第１ハウジングに装填される第１端子と、前記第１ハウジングに装填される連結端子とを備え、
（ｆ）前記第１ハウジングは嵌合方向に延在する貫通孔を含み、
（ｇ）前記第３コネクタは、前記連結端子と接触可能な第３端子が装填された第３ハウジングであって、取付金具によって前記機器のケーシングに固定される第３ハウジングを備え、
（ｈ）前記第２コネクタは、前記連結端子と接触可能な第２端子が装填された第２ハウジングであって、ねじ部材が挿通可能な挿通孔が形成された第２ハウジングを備え、
（ｉ）前記挿通孔に挿通されて前記貫通孔を貫通したねじ部材が前記取付金具に螺合されることによって、前記第２コネクタ及び第３コネクタと嵌合して締結されることを特徴とするコネクタ組立体。
【請求項２】
前記連結端子は、前記第２端子の接触部内に進入して接触可能な上側接触部と、前記第３端子の接触部が進入して接触可能な下側接触部とを含む請求項１に記載のコネクタ組立体。
【請求項３】
前記第１ハウジングは、上半部と下半部とに分離可能である請求項１又は２に記載のコネクタ組立体。
【請求項４】
前記第１端子は、前記第１ハウジングに接続される第１ケーブルが含む第１電線に接続され、前記第１ケーブルは、平面視において、前記第１ハウジングに斜めに接続される請求項１〜３のいずれか１項に記載のコネクタ組立体。
【請求項５】
前記第１端子は、平面視において、前記第１ハウジングに斜めとなる方向に延在する列を形成するように配置される請求項４に記載のコネクタ組立体。
【発明の詳細な説明】
【技術分野】
【０００１】
本開示は、コネクタに関するものである。
【背景技術】
【０００２】
従来、それぞれが複数の導電線を有する２本のケーブルを接続する接続装置が提案されている（例えば、特許文献１参照。）。
【０００３】
図２１は従来の接続装置の内部を示す断面図である。
【０００４】
図において、８１１は接続装置のハウジングであり、該ハウジング８１１の互いに対向する２つの壁面には、２本のケーブル８９１の終端が、それぞれ、接続されている。また、前記ハウジング８１１内には、接続ブロック８２１が配設され、該接続ブロック８２１は複数の接続端子８６１を保持している。そして、各ケーブル８９１が有する複数の導電線８９２のそれぞれは、対応する接続端子８６１に接続されている。これにより、前記ケーブル８９１が有する複数の導電線８９２のそれぞれは、相手方のケーブル８９１が有する対応する導電線８９２と接続される。
【先行技術文献】
【特許文献】
【０００５】
【特許文献１】特開平６−５２９０７号公報
【発明の概要】
【発明が解決しようとする課題】
【０００６】
しかしながら、前記従来の接続装置においては、２本のケーブル８９１の導電線８９２同士を接続するだけであって、該導電線８９２を電気機器、電子機器等に接続する機能を備えていない。
【０００７】
ここでは、前記従来の問題点を解決して、電線が接続されるコネクタであって、他のコネクタにも接続可能であり、簡素な構成で小型でありながらも、電線を機器に接続するとともに、中継も可能な利便性の高いコネクタを提供することを目的とする。
【課題を解決するための手段】
【０００８】
そのために、コネクタ組立体においては、第１コネクタ、第２コネクタ及び第３コネクタから成り、前記第２コネクタは、電線の終端に接続され、前記第３コネクタは、機器に取付けられ、前記第１コネクタは、前記第２コネクタと第３コネクタとの間において前記第２コネクタと第３コネクタとに嵌合されて接続され、前記電線から供給された信号又は電力を分岐するコネクタ組立体であって、前記第１コネクタは、第１ハウジングと、該第１ハウジングに装填される第１端子と、前記第１ハウジングに装填される連結端子とを備え、前記第１ハウジングは嵌合方向に延在する貫通孔を含み、前記第３コネクタは、前記連結端子と接触可能な第３端子が装填された第３ハウジングであって、取付金具によって前記機器のケーシングに固定される第３ハウジングを備え、前記第２コネクタは、前記連結端子と接触可能な第２端子が装填された第２ハウジングであって、ねじ部材が挿通可能な挿通孔が形成された第２ハウジングを備え、前記挿通孔に挿通されて前記貫通孔を貫通したねじ部材が前記取付金具に螺合されることによって、前記第２コネクタ及び第３コネクタと嵌合して締結される。
【０００９】
他のコネクタ組立体においては、さらに、前記連結端子は、前記第２端子の接触部内に進入して接触可能な上側接触部と、前記第３端子の接触部が進入して接触可能な下側接触部とを含む。
【００１０】
更に他のコネクタ組立体においては、さらに、前記第１ハウジングは、上半部と下半部とに分離可能である。
【００１１】
更に他のコネクタ組立体においては、さらに、前記第１端子は、前記第１ハウジングに接続される第１ケーブルが含む第１電線に接続され、前記第１ケーブルは、平面視において、前記第１ハウジングに斜めに接続される。
【００１２】
更に他のコネクタ組立体においては、さらに、前記第１端子は、平面視において、前記第１ハウジングに斜めとなる方向に延在する列を形成するように配置される。
【発明の効果】
【００１３】
本開示によれば、コネクタは、電線が接続され、他のコネクタにも接続可能であり、簡素な構成で小型でありながらも、電線を機器に接続するとともに、中継も可能であり、利便性が向上する。
【図面の簡単な説明】
【００１４】
【図１】本実施の形態におけるケーシングに取付けられた第３コネクタに第１コネクタ及び第２コネクタが嵌合された状態を示す斜視図である。
【図２】本実施の形態における第１コネクタ、第２コネクタ及び第３コネクタの嵌合前の状態を示す斜視図である。
【図３】本実施の形態における第１コネクタ、第２コネクタ及び第３コネクタの嵌合した状態を示す二面図であって、（ａ）は側面図、（ｂ）は上面図である。
【図４】本実施の形態における第１コネクタ、第２コネクタ及び第３コネクタの嵌合した状態の断面図であって図３（ｂ）におけるＡ−Ａ矢視断面図である。
【図５】本実施の形態における第３コネクタの斜視図である。
【図６】本実施の形態における第３コネクタの分解図である。
【図７】本実施の形態における第２コネクタの斜視図である。
【図８】本実施の形態における第２コネクタの分解図である。
【図９】本実施の形態における第１コネクタの斜視図である。
【図１０】本実施の形態における第１コネクタの分解図である。
【図１１】本実施の形態における第１コネクタの第１端子保持部材の下半部に第１端子が保持される直前の斜視図である。
【図１２】本実施の形態における第１コネクタの第１端子及びジャンパピンが保持された第１端子保持部材の下半部に上半部が結合される直前の斜視図である。
【図１３】本実施の形態における第１コネクタのジャンパピンと第１端子保持部材の上半部とを示す斜視図であって、（ａ）はジャンパピンに第１端子保持部材の上半部が取付けられる直前の図、（ｂ）はジャンパピンを示す図である。
【図１４】本実施の形態における第１コネクタの端子ジャンパピン組立体の二面図であって、（ａ）は上面図、（ｂ）は（ａ）におけるＢ−Ｂ矢視断面図である。
【図１５】本実施の形態における第１コネクタの端子ジャンパピン組立体の第１端子保持部材の下半部に上半部が結合される直前の断面図である。
【図１６】本実施の形態における第１コネクタの端子ジャンパピン組立体に第１シールドが結合される直前の斜視図である。
【図１７】本実施の形態における第１コネクタの端子ジャンパピン組立体に第１シールドが結合された状態の斜視図である。
【図１８】本実施の形態における第１コネクタから第１ハウジングの下半部を取外した状態の斜視図である。
【図１９】本実施の形態における第１コネクタの別の斜視図である。
【図２０】本実施の形態における第１コネクタの中継端子を示す三面図であって、（ａ）は斜視図、（ｂ）は正面図、（ｃ）は側面図である。
【図２１】従来の接続装置の内部を示す断面図である。
【発明を実施するための形態】
【００１５】
以下、本実施の形態について図面を参照しながら詳細に説明する。
【００１６】
図１は本実施の形態におけるケーシングに取付けられた第３コネクタに第１コネクタ及び第２コネクタが嵌合された状態を示す斜視図、図２は本実施の形態における第１コネクタ、第２コネクタ及び第３コネクタの嵌合前の状態を示す斜視図、図３は本実施の形態における第１コネクタ、第２コネクタ及び第３コネクタの嵌合した状態を示す二面図、図４は本実施の形態における第１コネクタ、第２コネクタ及び第３コネクタの嵌合した状態の断面図であって図３（ｂ）におけるＡ−Ａ矢視断面図である。なお、図３において、（ａ）は側面図、（ｂ）は上面図である。
【００１７】
図において、１は本実施の形態におけるコネクタとしての中継コネクタである第１コネクタであり、複数の電線としての第１電線９２を備えるケーブルとしての第１ケーブル９１が終端されて接続される電線コネクタの一種である。また、１０１は本実施の形態における相手方コネクタの１つとしての第２コネクタであり、複数の第２電線１９２を備える第２ケーブル１９１が終端されて接続される電線コネクタの一種である。さらに、２０１は本実施の形態における相手方コネクタのもう１つとしての第３コネクタであり、電子機器、家庭用機器、医療機器、産業機器、輸送機器等の各種の機器２９０において、該機器２９０のケーシング２９１に取付けられて使用される機器側コネクタである。外部部材である前記ケーシング２９１は、いかなる用途においても使用される、いかなる種類の機器のケーシングであってもよいが、ここでは、説明の都合上、回転軸２９２を有するステッピングモータを覆うカバーの一部として使用される部材であるものとする。
【００１８】
なお、本実施の形態において、第１コネクタ１、第２コネクタ１０１、第３コネクタ２０１及びその他の部材に含まれる各部の構成及び動作を説明するために使用される上、下、左、右、前、後等の方向を示す表現は、絶対的なものでなく相対的なものであり、第１コネクタ１、第２コネクタ１０１、第３コネクタ２０１及びその他の部材に含まれる各部が図に示される姿勢である場合に適切であるが、第１コネクタ１、第２コネクタ１０１、第３コネクタ２０１及びその他の部材に含まれる各部の姿勢が変化した場合には、姿勢の変化に応じて変更して解釈されるべきものである。
【００１９】
図に示されるように、前記ケーシング２９１は、Ｘ−Ｙ平面の形状が概略長方形の部材であって、その長方形の一隅に第３コネクタ２０１が取付けられている。該第３コネクタ２０１は、合成樹脂等の絶縁性材料によって一体的に形成された第３ハウジング２１１と、該第３ハウジング２１１に装填された導電性の金属から成る複数の第３端子２６１と、前記第３ハウジング２１１に装填された一対の第３取付金具２８１と、前記第３ハウジング２１１の周縁部に取付けられたゴム等の柔軟性材料から成る下側緩衝部材２２８とを備える。
【００２０】
そして、前記ケーシング２９１内に収容されるステッピングモータ、エンコーダ等に一端が接続された図示されない複数の電線の他端が、前記第３端子２６１の電線接続部２６８に接続される。各第３端子２６１は、第１コネクタ１との嵌合方向、すなわち、上下方向（Ｚ軸方向）に延在する細長い部材であって、本体部２６２と、該本体部２６２の下端に接続された電線接続部２６８と、前記本体部２６２の上端から上方に延出する接触部２６３とを含んでいる。
【００２１】
前記第１コネクタ１、第２コネクタ１０１及び第３コネクタ２０１が互いに嵌合した状態において、第３端子２６１の接触部２６３は、図４に示されるように、上側に位置する第１コネクタ１の端子である第１端子６１の接触部６３及びジャンパピン５１の下側接触部５８と接触する。また、下側緩衝部材２２８は、第３ハウジング２１１とその上側に位置する第１コネクタ１のハウジングである第１ハウジング１１との間に介在し、前記第３ハウジング２１１と第１ハウジング１１との隙間をシールするシール部材として機能し、塵埃等の異物が外部から進入することを確実に防止することができる。さらに、前記第３取付金具２８１が、第１ハウジング１１を通過した前記第２コネクタ１０１の第２取付金具１８１と連結されるので、前記第１コネクタ１、第２コネクタ１０１及び第３コネクタ２０１は、図３及び４に示されるように、互いに嵌合した状態で締結される。
【００２２】
前記第２コネクタ１０１は、合成樹脂等の絶縁性材料によって一体的に形成された第２ハウジング１１１と、該第２ハウジング１１１に装填された導電性の金属から成る複数の第２端子１６１と、前記第２ハウジング１１１に装填された一対の第２取付金具１８１と、前記第２ハウジング１１１に装填された第２シールド１７１とを備える。前記第２ハウジング１１１は、Ｘ−Ｙ平面の形状が概略長方形である概略直方体の部材であって、その長方形の一隅から長方形の長辺及び短辺に対して傾斜した方向に突出する第２ケーブル接続部１１８を含んでいる。そして、第２ケーブル１９１の終端は第２ケーブル接続部１１８の内部空間部１１８ａ内に収容されて第２押さえリング１９４を介して接続され、前記第２ケーブル１９１の終端から延伸する第２電線１９２の各々は前記内部空間部１１８ａ及び第２ハウジング１１１の内部を通過し、対応する第２端子１６１の電線接続部１６８に接続されている。なお、前記第２ケーブル１９１は、束になった第２電線１９２の周囲を取囲むように形成された金属メッシュ等の導電性部材から成るシールド部材である第２ケーブルシールド１９１ｂと、該第２ケーブルシールド１９１ｂの外側を被覆するように、合成樹脂等の絶縁性材料によって一体的に形成された第２ケーブル外側被覆１９１ａとを有する。各第２端子１６１は、本体部１６２と、該本体部１６２の上端に接続された電線接続部１６８と、前記本体部１６２に接続された接触部１６３と、前記本体部１６２に形成された係止突起１６５とを含んでいる。
【００２３】
前記第１コネクタ１は、合成樹脂等の絶縁性材料によって一体的に形成された第１ハウジング１１と、該第１ハウジング１１に装填された導電性の金属から成る複数の第１端子６１と、前記第１ハウジング１１に装填された導電性の金属から成る複数の連結端子としてのジャンパピン５１と、前記第１ハウジング１１の周縁部に取付けられたゴム等の柔軟性材料から成る上側緩衝部材２８とを備える。前記第１ハウジング１１は、Ｘ−Ｙ平面の形状が概略長方形である概略直方体の部材であって、その長方形の一隅から長方形の長辺及び短辺に対して傾斜した方向に突出する第１ケーブル接続部１８を含んでいる。そして、第１ケーブル９１の終端は第１ケーブル接続部１８の内部空間部１８ａ内に収容されて第１押さえリング９４を介して接続され、前記第１ケーブル９１の終端から延伸する第１電線９２の各々は前記内部空間部１８ａ及び第１ハウジング１１の内部を通過し、対応する第１端子６１の電線接続部６８に接続されている。前記第１電線９２は、嵌合方向と平行になるように電線接続部６８に圧着される。なお、前記第１ケーブル９１は、束になった第１電線９２の周囲を取囲むように形成された金属メッシュ等の導電性部材から成るシールド部材である第１ケーブルシールド９１ｂと、該第１ケーブルシールド９１ｂの外側を被覆するように、合成樹脂等の絶縁性材料によって一体的に形成された第１ケーブル外側被覆９１ａとを有する。また、前記第１ハウジング１１には、前記第２取付金具１８１が挿入されて通過する一対の取付金具挿通孔１２が形成されている。
【００２４】
そして、各第１端子６１は、本体部６２と、該本体部６２の上端に接続された電線接続部６８と、前記本体部６２に接続された接触部６３と、前記本体部６２に形成された係止突起６５とを含んでいる。前記電線接続部６８は、本実施の形態では図１４（ｂ）に示すように、接触部６３とは本体部６２の反対側、すなわち、接触部６３とは嵌合方向と直行する方向に関する位置がずれて形成されている。また、各ジャンパピン５１は、上下方向（第２コネクタ１０１及び第３コネクタ２０１との嵌合方向）に延在する細長い部材であって、本体部５２と、該本体部５２の下端に接続された下側接触部５８と、前記本体部５２の上端から上方に延出する上側接触部５３とを含んでいる。前記下側接触部５８は後述される収容凹部５８ａを含み、第３コネクタ２０１の第３端子２６１における細長い接触部２６３は、下方から前記収容凹部５８ａに進入して収容され、下側接触部５８と接触する。すなわち、前記接触部２６３は、いわゆるプラグタイプであり、前記下側接触部５８は、いわゆるレセプタクルタイプである。なお、前記接触部２６３が下方から進入する第１端子６１の接触部６３も、いわゆるレセプタクルである。また、前記上側接触部５３は、上下方向に延在する細長い形状を有し、下方から第２コネクタ１０１の第２端子１６１における筒状の接触部１６３内に進入して収容され、該接触部１６３と接触する。すなわち、前記上側接触部５３は、いわゆるプラグタイプであり、前記接触部１６３は、いわゆるレセプタクルタイプである。
【００２５】
前記第１コネクタ１、第２コネクタ１０１及び第３コネクタ２０１が互いに嵌合した状態において、ジャンパピン５１の上側接触部５３は、図４に示されるように、上側に位置する第２コネクタ１０１の第２端子１６１の接触部１６３と接触する。また、上側緩衝部材２８は、第１ハウジング１１とその上側に位置する第２コネクタ１０１の第２ハウジング１１１との間に介在し、前記第１ハウジング１１と第２ハウジング１１１との隙間をシールするシール部材として機能し、塵埃等の異物が外部から進入することを確実に防止することができる。
【００２６】
また、前記第１ハウジング１１、第２ハウジング１１１及び第３ハウジング２１１の平面視における形状、すなわち、Ｘ−Ｙ平面における形状は、同一であり、前記第１コネクタ１、第２コネクタ１０１及び第３コネクタ２０１が互いに嵌合した状態において、前記第１ハウジング１１、第２ハウジング１１１及び第３ハウジング２１１は互いに結合して、各側面が面一で概略直方体の一体化した部材となる。そして、第１ケーブル接続部１８及び第２ケーブル接続部１１８は同一方向に突出し、第１ケーブル９１及び第２ケーブル１９１は、平面視において、すなわち、Ｘ−Ｙ平面において第１ハウジング１１及び第２ハウジング１１１に斜めに接続されている。すなわち、第１ケーブル９１及び第２ケーブル１９１は、Ｘ−Ｙ平面における第１ハウジング１１及び第２ハウジング１１１の形状である長方形の長辺及び短辺に対して斜めに延在している。
【００２７】
次に、前記第３コネクタ２０１の構成について詳細に説明する。
【００２８】
図５は本実施の形態における第３コネクタの斜視図、図６は本実施の形態における第３コネクタの分解図である。
【００２９】
第３コネクタ２０１の第３ハウジング２１１は、平板状の本体部２１１ａと、該本体部２１１ａの上面から上方に延出する端子収容壁２１１ｂと、前記本体部２１１ａの周縁を取囲むように形成されたシール収容溝２１１ｄとを有する。該シール収容溝２１１ｄ内には、概略リング状の部材である下側緩衝部材２２８が収容される。また、前記端子収容壁２１１ｂの内側は端子収容凹部２１１ｃとして機能し、前記本体部２１１ａにおける端子収容凹部２１１ｃの床に相当する部分に端子収容開口が形成されている。
【００３０】
第３コネクタ２０１の第３端子２６１の各々は、合成樹脂等の絶縁性材料によって一体的に形成された第３端子保持部材２３１が有する複数の端子収容部２３１ａの各々に収容されて保持される。そして、前記第３端子保持部材２３１は、前記第３ハウジング２１１の本体部２１１ａの端子収容開口に下側から挿入され、係合部２３１ｂが係合することによって、前記本体部２１１ａに取付けられる。さらに、前記第３端子保持部材２３１の下側において、ゴムのような弾力性を備える樹脂等の絶縁性材料によって一体的に形成された柔軟性底板２１２が前記本体部２１１ａに取付けられる。これにより、第３端子２６１の少なくとも接触部２６３は、本体部２１１ａの上面より上方に突出した状態で、端子収容凹部２１１ｃ内に収容される。図５に示されるように、第３端子２６１の接触部２６３は２本の列を形成し、該列は、Ｘ−Ｙ平面における第３ハウジング２１１の形状である長方形の長辺及び短辺に対して斜めに延在している。なお、各第３端子２６１の電線接続部２６８には、ケーシング２９１内に収容されたステッピングモータ等の機器を構成する各種部材に一端が接続された図示されない電線の他端が接続される。
【００３１】
また、前記第３端子保持部材２３１には、グラウンド（接地）部材である第３グラウンド部材２７１が取付けられる。該第３グラウンド部材２７１は、電線接続部２７８と、上方に向けて延出する接触部２７３とを含んでいる。前記電線接続部２７８には、ケーシング２９１内に収容されたステッピングモータ等の機器を構成する各種部材のグラウンド端子等に一端が接続された図示されない電線の他端が接続される。また、前記接触部２７３は、図５に示されるように、第３グラウンド部材２７１が第３端子保持部材２３１とともに本体部２１１ａに取付けられた状態において、端子収容壁２１１ｂの内面の一部から端子収容凹部２１１ｃ内に露出する。
【００３２】
取付金具としての第３取付金具２８１は、本体部２８１ａから上方に向けて延出する連結部２８２と、本体部２８１ａから下方に向けて延出する取付部２８３とを含んでいる。前記連結部２８２は、上端が開放された円筒状の部材であって、その内部の収容空洞２８２ａの内壁面には、雌ねじが形成され、第２取付金具１８１の下端部が螺入されて連結される。また、前記取付部２８３は、第３ハウジング２１１の本体部２１１ａに形成された図示されない貫通孔に挿入され、その下端部が前記本体部２１１ａの下面より下方に突出し、ケーシング２９１が有する図示されない金具収容孔に挿入されて固定される。これにより、第３コネクタ２０１は、ケーシング２９１に固定される。
【００３３】
次に、前記第２コネクタ１０１の構成について詳細に説明する。
【００３４】
図７は本実施の形態における第２コネクタの斜視図、図８は本実施の形態における第２コネクタの分解図である。
【００３５】
第２コネクタ１０１の第２ハウジング１１１は、概略長方形の平板状の天板１１１ａと、該天板１１１ａの長方形の四辺から下方に延出する４つの側壁１１１ｂとを含み、下端が開放された概略直方体の箱状の部材であって、その内部は、天板１１１ａ及び側壁１１１ｂによって周囲を画定された空洞となっている。前記天板１１１ａには、第２ハウジング１１１を上下方向（第１コネクタ１との嵌合方向）に貫通する取付金具挿通孔１１２が開口している。また、前記第２ハウジング１１１は、第２ケーブル接続部１１８を含んでいる。第２ケーブル１９１の終端は、第２ケーブル接続部１１８の内部空間部１１８ａ内に収容され、第２押さえリング１９４及び第２ブッシュ１９５を介して、前記第２ケーブル接続部１１８に終端される。
【００３６】
そして、前記第２ハウジング１１１の空洞内には、第２グラウンド部材であるシェルとしての第２シールド１７１が取付けられる。該第２シールド１７１は、天板１７２と、該天板１７２の縁の少なくとも一部から下方に延出する側壁１７３とを含み、該側壁１７３の一部には、前記第２ハウジング１１１の空洞内壁と係合する係合片１７３ａが形成されている。また、前記側壁１７３の一部の下端には、下方に延出する接続片１７５が形成されている。該接続片１７５には係合開口１７５ａが形成され、第２グラウンド端子１７６の上端に形成された上側係合片１７６ａが前記係合開口１７５ａと係合することによって、前記接続片１７５に第２グラウンド端子１７６が接続される。なお、該第２グラウンド端子１７６の下端には下側係合片１７６ｂが形成されている。また、前記天板１７２の縁には、柔軟性を有する接続片１７４ａを介して、第２ケーブル接続片１７４が接続されている。該第２ケーブル接続片１７４は、第２ケーブル１９１の終端近傍において、第２ケーブル外側被覆１９１ａが除去されることによって露出した第２ケーブルシールド１９１ｂに巻付けられて接触する。これにより、第２シールド１７１は、第２ケーブルシールド１９１ｂと導通して等電位となる。なお、前記第２ケーブル接続片１７４を第２ケーブルシールド１９１ｂに巻付ける方法は、後述される第１ケーブル接続片７４を第１ケーブルシールド９１ｂに巻付ける方法と同様である。
【００３７】
第２コネクタ１０１の第２端子１６１の各々は、合成樹脂等の絶縁性材料によって一体的に形成された第２端子保持部材１３１が有する図示されない複数の端子収容部の各々に収容されて保持される。なお、該端子収容部の側壁には、係止凹部１３１ｂが形成されており、各第２端子１６１は、その係止突起１６５が前記係止凹部１３１ｂに進入して係止されることによって、各端子収容部内に確実に保持される。また、前記第２端子保持部材１３１には、上方に延出する突出部１３１ａが形成されている。なお、各第２端子１６１の電線接続部１６８には、第２ケーブル１９１の第２電線１９２の各々の終端が、上方から挿入され、例えば、圧着等によって、接続される。そして、前記第２端子保持部材１３１は、前記第２ハウジング１１１の空洞内に下側から挿入され、第２シールド１７１の下方に取付けられる。これにより、第２端子１６１の電線接続部１６８に接続された第２電線１９２の終端近傍は、図４に示されるように、第２シールド１７１内に収容された状態となる。なお、第２ハウジング１１１に装填された第２端子１６１は、前記第３コネクタ２０１の第３端子２６１と同様に、２本の列を形成し、該列は、Ｘ−Ｙ平面における第２ハウジング１１１の形状である長方形の長辺及び短辺に対して斜めに延在している。また、Ｘ−Ｙ平面において、第２端子１６１は、点対称となるように第２ハウジング１１１に装填されている。なお、一対の取付金具挿通孔１１２も、点対称となるように第２ハウジング１１１に形成されている。これにより、第２ケーブル１９１の第２電線１９２の第２端子１６１への接続が容易となる。また、第２ハウジング１１１を小型化し、第２コネクタ１０１全体を小型化することができる。
【００３８】
前述のように、第１ケーブル接続部１８及び第２ケーブル接続部１１８は同一方向に突出し、第１ケーブル９１及び第２ケーブル１９１は、Ｘ−Ｙ平面における第１ハウジング１１及び第２ハウジング１１１の形状である長方形の長辺及び短辺に対して斜めに延在している。このように、第１コネクタ１の第１端子６１及び第２コネクタ１０１の第２端子１６１の列も、Ｘ−Ｙ平面における第１ハウジング１１及び第２ハウジング１１１の形状である長方形の長辺及び短辺に対して斜めに延在し、第１ケーブル接続部１８及び第２ケーブル接続部１１８がその対角の１つの角を含む斜め方向に形成されていることにより、配線を第１ケーブル９１及び第２ケーブル１９１の延出方向で処理することができ、配線の処理が容易となり、組立性が向上する。
【００３９】
第２取付金具１８１は、本体部１８１ａの上端に形成されたヘッド１８２と、本体部１８１ａから下方に向けて延出する連結部１８３とを含む一種のねじ部材である。前記ヘッド１８２は、上端に十字状又は一字状のスクリュードライバ係合用の凹部が形成された部分であって、第２取付金具１８１が挿通孔としての取付金具挿通孔１１２に挿通された状態で、該取付金具挿通孔１１２内に収容される。また、前記連結部１８３は、外壁面に雄ねじが形成され、第２取付金具１８１が取付金具挿通孔１１２に挿入された状態で、第２ハウジング１１１の下端よりも下方に突出し、第３取付金具２８１の収容空洞２８２ａに螺入されて連結される。なお、第２取付金具１８１が取付金具挿通孔１１２に挿入された状態で、本体部１８１ａには下方からＯ−リング１８４が嵌め付けられ、これにより、第２取付金具１８１が第２ハウジング１１１に取付けられる。
【００４０】
次に、前記第１コネクタ１の構成について詳細に説明する。
【００４１】
図９は本実施の形態における第１コネクタの斜視図、図１０は本実施の形態における第１コネクタの分解図、図１１は本実施の形態における第１コネクタの第１端子保持部材の下半部に第１端子が保持される直前の斜視図、図１２は本実施の形態における第１コネクタの第１端子及びジャンパピンが保持された第１端子保持部材の下半部に上半部が結合される直前の斜視図、図１３は本実施の形態における第１コネクタのジャンパピンと第１端子保持部材の上半部とを示す斜視図、図１４は本実施の形態における第１コネクタの端子ジャンパピン組立体の二面図、図１５は本実施の形態における第１コネクタの端子ジャンパピン組立体の第１端子保持部材の下半部に上半部が結合される直前の断面図、図１６は本実施の形態における第１コネクタの端子ジャンパピン組立体に第１シールドが結合される直前の斜視図、図１７は本実施の形態における第１コネクタの端子ジャンパピン組立体に第１シールドが結合された状態の斜視図、図１８は本実施の形態における第１コネクタから第１ハウジングの下半部を取外した状態の斜視図、図１９は本実施の形態における第１コネクタの別の斜視図である。なお、図１３において、（ａ）はジャンパピンに第１端子保持部材の上半部が取付けられる直前の図、（ｂ）はジャンパピンを示す図であり、図１４において、（ａ）は上面図、（ｂ）は（ａ）におけるＢ−Ｂ矢視断面図である。
【００４２】
第１コネクタ１の第１ハウジング１１は、上半部である第１ハウジング上側部１１Ａと下半部である第１ハウジング下側部１１Ｂとから成る。前記第１ハウジング上側部１１Ａと第１ハウジング下側部１１Ｂとを統合的に説明する場合には、第１ハウジング１１として説明する。そして、前記第１ハウジング上側部１１Ａは、本体部１１ａと、該本体部１１ａの上面から上方に延出する端子収容凸部１４と、前記本体部１１ａの周縁を取囲むように形成されたシール収容溝１１ｄとを有する。該シール収容溝１１ｄ内には、概略リング状の部材である上側緩衝部材２８が収容される。また、前記本体部１１ａは、その周縁から下方に延出する４つの側壁１１ｂを含み、下端が開放された概略直方体の箱状の部材であって、その内部は、端子収容凸部１４及び側壁１１ｂによって周囲を画定された空洞となっている。
【００４３】
また、前記端子収容凸部１４は、平坦な上面１４ａと、該上面１４ａから上方に突出する上側凸部１４ｂとを含んでいる。該上側凸部１４ｂには、第１ハウジング上側部１１Ａを上下方向に貫通する取付金具挿通孔１２が形成されている。また、前記端子収容凸部１４の中央部分には、第１ハウジング上側部１１Ａを上下方向に貫通する端子収容凹部１４ｃが形成されている。さらに、前記第１ハウジング上側部１１Ａは、第１ケーブル接続部１８の上半部である第１ケーブル接続上側部１８Ａを含んでいる。
【００４４】
そして、前記第１ハウジング下側部１１Ｂは、第１ハウジング上側部１１Ａの本体部１１ａの側壁１１ｂと同様の４つの側壁１１ｂを含み、上下両端が開放された概略直方体の箱状の部材であって、その内部は、側壁１１ｂによって周囲を画定された空洞となっている。また、前記第１ハウジング下側部１１Ｂは、第１ケーブル接続部１８の下半部である第１ケーブル接続下側部１８Ｂを含んでいる。前記第１ケーブル接続上側部１８Ａと第１ケーブル接続下側部１８Ｂとを統合的に説明する場合には、第１ケーブル接続部１８として説明する。第１ケーブル９１の終端は、第１ケーブル接続部１８の内部空間部１８ａ内に収容され、第１押さえリング９４及び第１ブッシュ９５を介して、前記第１ケーブル接続部１８に終端される。
【００４５】
また、前記第１ケーブル接続上側部１８Ａは、図１８に示されるように、下側が開放され、断面が半円形状に形成された上側蓋部１８Ａ１と、その先端側に、断面が閉じた環状に形成された筒となっている環状部１８Ａ２とを含んでいる。該環状部１８Ａ２のケーブル延伸方向中央付近には、ロック部１９ａが形成されている。そして、前記環状部１８Ａ２の下側でロック部１９ａよりも本体側と、第１ケーブル接続下側部１８Ｂのロック爪１９ｂより本体側の一部が前記環状部１８Ａ２の下側と重なり、その重なり部分に柔軟性中間部材１７の円弧部１７ａが挟まれて密閉される。さらに、組立てられた第１シールド７１を有する端子ジャンパピン組立体３０は、下方から第１ハウジング上側部１１Ａに組込まれる。このとき、下側が開放された上側蓋部１８Ａ１の位置に第１シールド７１の第１ケーブル接続片７４が配置される。
【００４６】
これにより、中継用ケーブルを処理しながら、第１シールド７１を有する端子ジャンパピン組立体３０を第１ハウジング上側部１１Ａに容易に装着することが可能となり、組立性が非常に向上するとともに、密着性を確保することができる中継コネクタとすることができる。
【００４７】
第１コネクタ１の第１端子６１を保持する第１端子保持部材３１は、上半部である第１端子保持上側部材３１Ａと下半部である第１端子保持下側部材３１Ｂとから成る。前記第１端子保持上側部材３１Ａと第１端子保持下側部材３１Ｂとを統合的に説明する場合には、第１端子保持部材３１として説明する。なお、第１端子保持上側部材３１Ａは、ジャンパピン５１を保持する接続端子保持部として機能し、第１端子保持下側部材３１Ｂは第１端子６１を保持する端子保持部として機能する。
【００４８】
図１１に示されるように、第１端子保持下側部材３１Ｂは、合成樹脂等の絶縁性材料によって一体的に形成された上下両端が開放された概略直方体の箱状の部材であって、その内部には仕切壁３２によって区画された複数の端子収容部３３が形成されている。なお、前記仕切壁３２の一部には下方に向けて切込まれた凹部３２ａが形成されている。また、第１端子保持下側部材３１Ｂの側壁における端子収容部３３に対応する位置には、係止凹部３１ｂが形成されている。そして、第１ケーブル９１の第１電線９２の終端に電線接続部６８が圧着等によって接続された第１端子６１の各々は、複数の端子収容部３３の各々に上側から挿入され、その係止突起６５が前記係止凹部３１ｂに進入して係止されることによって、各端子収容部３３内に確実に保持される。また、第１端子保持下側部材３１Ｂの側壁の一部には、外方に向けて突出する係合突起３１ｃが形成されている。
【００４９】
なお、図１１及び１２に示される例においては、前記第１電線９２のいくつか（図に示される例においては、２本）が他のものよりも直径が小さな細線となっている。この例は、直径の大きな第１電線９２が前記機器２９０の各部に電力を供給するための電力ラインとして使用され、直径の小さな第１電線９２が前記機器２９０の各部と信号の送受信を行うための信号ラインとして使用される場合を示しているが、必ずしもこの例に限定される必要はなく、電力ラインとして使用される第１電線９２の数及び信号ラインとして使用される第１電線９２の数は、適宜変更することができる。例えば、すべての第１電線９２を電力ラインとしてもよいし、すべての第１電線９２を信号ラインとしてもよい。また、電力ラインとして使用される第１電線９２の直径と信号ラインとして使用される第１電線９２の直径とを等しくすることもできる。さらに、この例では、直径の小さな第１電線９２が接続される第１端子６１のサイズが、直径の大きな第１電線９２が接続される第１端子６１のサイズよりも小さく設定されているが、必ずしもこの例に限定される必要はなく、すべての第１端子６１のサイズを等しいものにすることもできる。
【００５０】
また、第１端子６１が収容された端子収容部３３内には、ジャンパピン５１の本体部５２の下端近傍も収容され、前記端子収容部３３内において第１端子６１とジャンパピン５１とが共存する。なお、図１２に示される例においては、第１端子６１と共存せず、第１端子６１が収容されていない端子収容部３３に収容されたジャンパピン５１が３本含まれているが、該ジャンパピン５１のうち１本はグラウンド用のものであり、直径の小さな第１電線９２に対向して配設された２本は、これら第１電線９２とは別個の信号ライン用のものである。このような第１端子６１と共存しないジャンパピン５１は、適宜省略することもできる。
【００５１】
図１２〜１５に示されるように、第１端子保持上側部材３１Ａは、合成樹脂等の絶縁性材料によって一体的に形成された概略直方体の箱状の部材であって、その内部には下面から上方に向けて切込まれた凹溝３５が形成されている。また、第１端子保持下側部材３１Ｂの端子収容部３３に収容されたジャンパピン５１の各々に対応する位置に、上下方向に延在するジャンパピン挿通孔３４が形成されている。該ジャンパピン挿通孔３４は、第１端子保持上側部材３１Ａの上面から凹溝３５の天面３５ｂまで貫通する。また、前記ジャンパピン挿通孔３４の下端には、ジャンパピン５１の本体部５２から側方に突出する係合片５２ａが進入して係合可能な係合凹部３４ａが形成されている。なお、第１端子保持上側部材３１Ａの側壁における凹溝３５に対応する部分は、前記第１端子保持下側部材３１Ｂの仕切壁３２に形成された凹部３２ａに挿入される挿入部３５ａとして機能する。
【００５２】
第１端子保持上側部材３１Ａは、図１５に示されるように、第１電線９２に接続された第１端子６１及びジャンパピン５１が収容された第１端子保持下側部材３１Ｂの上方において姿勢を制御された後、相対的に下降させられ、図１４に示されるように、第１端子保持下側部材３１Ｂと組合わされる。この際、第１端子保持上側部材３１Ａの挿入部３５ａが第１端子保持下側部材３１Ｂの対応する凹部３２ａに挿入され、第１端子保持上側部材３１Ａの凹溝３５の天面３５ｂが第１端子保持下側部材３１Ｂの仕切壁３２の上面に当接し、各ジャンパピン５１が対応するジャンパピン挿通孔３４内に挿入される。これにより、図１４に示されるような端子ジャンパピン組立体３０を得ることができる。なお、各ジャンパピン５１は、第１端子保持上側部材３１Ａが第１端子保持下側部材３１Ｂと組合わされる前の状態よりも、上方に移動させられ、その本体部５２全体がジャンパピン挿通孔３４内に位置し、本体部５２から側方に突出する係合片５２ａがジャンパピン挿通孔３４の係合凹部３４ａに進入し、収容凹部５８ａを含む下側接触部５８が第１端子６１の接触部６３よりも上方に位置し、上側接触部５３の少なくとも先端を含む部分が第１端子保持上側部材３１Ａの上面から上方に突出した状態となる。
【００５３】
なお、第１端子保持上側部材３１Ａとジャンパピン５１とを一体化してジャンパピン組立体とすることもできる。例えば、インサート成形（オーバーモールディング）によって、内部にジャンパピン５１が一体化された第１端子保持上側部材３１Ａを得ることができ、ジャンパピン５１を先に第１端子保持上側部材３１Ａへ圧入固定しておくこともできる。
【００５４】
図１６及び１７に示されるように、端子ジャンパピン組立体３０には、第１グラウンド部材であるシェルとしての第１シールド７１が取付けられる。該第１シールド７１は、天板７２と、該天板７２の縁の少なくとも一部から下方に延出する側壁７３とを含み、該側壁７３の一部の下端には、下方に延出する下側接続片７５が形成されている。該下側接続片７５には係合開口７５ａが形成され、前記第１端子保持下側部材３１Ｂの側壁の一部に形成された係合突起３１ｃが前記係合開口７５ａと係合することによって、前記端子ジャンパピン組立体３０に下側接続片７５が係合される。また、前記天板７２の縁には、上方に延出する上側接続片７６が接続されるとともに、柔軟性を有する接続片７４ａを介して、第１ケーブル接続片７４が接続されている。該第１ケーブル接続片７４は、図１７に示されるように、第１ケーブル９１の終端近傍において、第１ケーブル外側被覆９１ａが除去されることによって露出した第１ケーブルシールド９１ｂに巻付けられて接触する。これにより、第１シールド７１は、第１ケーブルシールド９１ｂと導通して等電位となる。また、前述のように、第１端子６１の電線接続部６８が接触部６３とは反対側に形成され、第１電線９２が嵌合方向に平行となるように電線接続部６８に圧着されるので、図１６及び１７に示されるように、第１電線９２を第１端子保持上側部材３１Ａの側面、すなわち、ジャンパピン５１の上側接触部５３の側方に沿わせて処理することができ、第１電線９２の処理が容易となり、幅方向の寸法を抑制することができる。
【００５５】
そして、図１７に示されるような第１シールド７１が取付けられた端子ジャンパピン組立体３０は、第１ハウジング上側部１１Ａの空洞内に下側から挿入されて取付けられる。この場合、第１シールド７１と第１ケーブルシールド９１ｂに巻付けられた第１ケーブル接続片７４とが柔軟性を有する接続片７４ａを介して接続されているので、端子ジャンパピン組立体３０を第１ハウジング上側部１１Ａに容易に取付けることができる。これにより、図１８に示されるように、第１ケーブル９１の終端近傍は、第１ケーブル接続上側部１８Ａ内に収容され、ジャンパピン５１の上側接触部５３の先端近傍は、端子収容凹部１４ｃ内に収容された状態となる。
【００５６】
さらに、第１ハウジング上側部１１Ａの下端に、ゴムのような弾力性を備える樹脂等の絶縁性材料によって一体的に形成された柔軟性中間部材１７を介して、第１ハウジング下側部１１Ｂの上端を取付ける。このとき、第１ハウジング上側部１１Ａの下端から下方に突出する上側挿入ガイド１１ｅが第１ハウジング下側部１１Ｂの側壁１１ｂの内側に進入し、第１ハウジング下側部１１Ｂの上端から上方に突出する下側挿入ガイド１１ｆが第１ハウジング上側部１１Ａの側壁１１ｂの内側に進入するので、第１ハウジング上側部１１Ａに対して第１ハウジング下側部１１Ｂを容易に、かつ、確実に取付けることができる。また、第１ケーブル接続下側部１８Ｂに形成されたロック爪１９ｂが、第１ケーブル接続上側部１８Ａに形成されたロック部１９ａと係合するので、第１ハウジング上側部１１Ａと第１ハウジング下側部１１Ｂとが離間することが防止される。
【００５７】
これにより、図１９に示されるように、第１コネクタ１を得ることができる。なお、第１ハウジング１１に装填された第１端子６１は、前記第２コネクタ１０１の第２端子１６１及び第３コネクタ２０１の第３端子２６１と同様に、２本の列を形成し、該列は、Ｘ−Ｙ平面における第１ハウジング１１の形状である長方形の長辺及び短辺に対して斜めに延在している。また、Ｘ−Ｙ平面において、第１端子６１は、点対称となるように第１ハウジング１１に装填されている。なお、一対の取付金具挿通孔１２も、点対称となるように第１ハウジング１１に形成されている。これにより、第１ケーブル９１の第１電線９２の第１端子６１への接続が容易となる。また、第１ハウジング１１を小型化し、第１コネクタ１全体を小型化することができる。このように、第１コネクタ１の第１端子６１及び第２コネクタ１０１の第２端子１６１の列も、Ｘ−Ｙ平面における第１ハウジング１１及び第２ハウジング１１１の形状である長方形の長辺及び短辺に対して斜めに延在し、第１ケーブル接続部１８及び第２ケーブル接続部１１８がその対角の１つの角を含む斜め方向に形成されていることにより、配線を第１ケーブル９１及び第２ケーブル１９１の延出方向で処理することができ、配線の処理が容易となり、組立性が向上する。
【００５８】
次に、前記第１コネクタ１の第１端子６１及びジャンパピン５１の変形例について説明する。
【００５９】
図２０は本実施の形態における第１コネクタの中継端子を示す三面図である。なお、図において、（ａ）は斜視図、（ｂ）は正面図、（ｃ）は側面図である。
【００６０】
本実施の形態における第１コネクタ１は、前記第１端子６１及びジャンパピン５１に代えて、図２０に示されるように、第１端子６１とジャンパピン５１とを一体化した中継端子６０を備えていてもよい。該中継端子６０において、第１端子６１の本体部６２は結合部としての端子側結合片６２ａを含み、前記本体部６２の上端には電線接続部６８ａが連結され、ジャンパピン５１の本体部５２の下端には結合部としてのピン側結合片５２ｂが形成されている。そして、前記端子側結合片６２ａとピン側結合片５２ｂとが一体的に結合されており、これにより、第１端子６１とジャンパピン５１とが一体化されている。また、図２０（ａ）から明らかなように、電線接続部６８ａに圧着された第１電線９２は嵌合方向に対して角度をもって延出する。そのため、第１電線９２をジャンパピン５１の上側接触部５３と第１端子６１とが離れた位置で圧着することができ、圧着作業が容易になる。
【００６１】
図２０に示されるように、第１端子６１における筒状の接触部６３の上下方向に延在する中心軸と、ジャンパピン５１における本体部５２の上下方向に延在する中心軸とは互いに一致する、すなわち、同一直線上にある。したがって、筒状の接触部６３の内部に進入して該接触部６３と接触する第３端子２６１の接触部２６３の上下方向に延在する中心軸も、ジャンパピン５１の本体部５２の中心軸と一致することになる。
【００６２】
また、ジャンパピン５１の本体部５２における上側接触部５３の上端及び下端には、突合せ部として、第１突合せ部５３ａ及び第２突合せ部５３ｂが形成されている。これにより、前記本体部５２を構成する左右（図２０（ｂ）における左側及び右側）の細長い板材が互いに接触するので、前記上側接触部５３は、第２コネクタ１０１の第２端子１６１の接触部１６３と接触した際に、該接触部１６３によって左右から押圧されても変形しにくくなり、該接触部１６３との接触圧を維持することが可能となる。
【００６３】
なお、前記中継端子６０においては、ジャンパピン５１の係合片５２ａ及び下側接触部５８が省略されている。
【００６４】
次に、前記第１コネクタ１、第２コネクタ１０１及び第３コネクタ２０１が嵌合した状態における第１端子６１、第２端子１６１及び第３端子２６１の接続状態について説明する。
【００６５】
機器２９０のケーシング２９１に取付けられた第３コネクタ２０１に第１コネクタ１が嵌合されると、第３ハウジング２１１の本体部２１１ａの周縁を取囲むシール収容溝２１１ｄに収容された下側緩衝部材２２８を第１ハウジング下側部１１Ｂの下端が上方から押圧し、第３ハウジング２１１の端子収容凹部２１１ｃ内に第１端子保持下側部材３１Ｂが上方から進入し、第３端子２６１の接触部２６３が相対的に上昇して、第１端子６１の接触部６３と接触するとともに、該接触部６３よりも上方に位置するジャンパピン５１の下側接触部５８とも接触する。また、第３グラウンド部材２７１の接触部２７３も相対的に上昇し、第１シールド７１の下側接続片７５と接触する。
【００６６】
そして、前記第１コネクタ１に第２コネクタ１０１が嵌合されると、第１ハウジング上側部１１Ａの本体部１１ａの周縁を取囲むシール収容溝１１ｄに収容された上側緩衝部材２８を第２ハウジング１１１の下端が上方から押圧するとともに、第１ハウジング上側部１１Ａの端子収容凹部１４ｃ内に第２端子保持部材１３１が上方から進入し、ジャンパピン５１の上側接触部５３が相対的に上昇して、第２端子１６１の接触部１６３と接触する。また、第１シールド７１の上側接続片７６も相対的に上昇し、第２シールド１７１の接続片１７５と、第２グラウンド端子１７６を介して、接触する。
【００６７】
これにより、第１端子６１、第２端子１６１及び第３端子２６１が互いに導通状態となり、また、第１シールド７１、第２シールド１７１及び第３グラウンド部材２７１が互いに導通状態となる。なお、第２取付金具１８１の連結部１８３を第３取付金具２８１の連結部２８２の収容空洞２８２ａに螺合することによって、第１コネクタ１、第２コネクタ１０１及び第３コネクタ２０１の嵌合状態を確実に維持することができる。
【００６８】
したがって、例えば、一端が第２コネクタ１０１に接続された第２ケーブル１９１の図示されない他端が電源等の電力供給源に接続されている場合、該電力供給源から供給された電力は、第２電線１９２に接続された第２端子１６１からジャンパピン５１を介して第３端子２６１に送電され、該第３端子２６１から図示されない電線を介して機器２９０の各部に供給されるとともに、第２端子１６１からジャンパピン５１を介して第１端子６１に送電され、該第１端子６１から第１電線９２を介して、一端が第１コネクタ１に接続された第１ケーブル９１の図示されない他端に接続された他の機器等に供給される。
【００６９】
なお、第１電線９２及び第２電線１９２のいくつかが信号ライン用のものであり、信号ライン用の第２電線１９２に接続された第２端子１６１に接触するジャンパピン５１が第１端子保持下側部材３１Ｂの端子収容部３３内で信号ライン用の第１端子６１と共存しないものである場合であって、前記第２ケーブル１９１の図示されない他端において前記信号ライン用の第２電線１９２が制御装置等の信号源に接続されているときには、該信号源から供給された信号が、第２電線１９２に接続された第２端子１６１からジャンパピン５１を介して第３端子２６１に送信され、該第３端子２６１から図示されない電線を介して機器２９０の各制御装置等に供給され、該制御装置等から返信された信号が、他の電線を介して第３端子２６１から、直接信号ライン用の第１端子６１に送信され、該第１端子６１から信号用の第１電線９２を介して、一端が第１コネクタ１に接続された第１ケーブル９１の図示されない他端に接続された他の機器等の制御装置等に供給される。
【００７０】
そのため、例えば、互いに嵌合した第１コネクタ１、第２コネクタ１０１及び第３コネクタ２０１を備える機器２９０を、デイジーチェーンを構成するように数珠つなぎに接続することができる。
【００７１】
また、第１コネクタ１を省略して、第２コネクタ１０１と第３コネクタ２０１とを嵌合させることもできる。
【００７２】
この場合、機器２９０のケーシング２９１に取付けられた第３コネクタ２０１に第２コネクタ１０１が嵌合されると、第３ハウジング２１１の本体部２１１ａの周縁を取囲むシール収容溝２１１ｄに収容された下側緩衝部材２２８を第２ハウジング１１１の下端が上方から押圧するとともに、第３ハウジング２１１の端子収容凹部２１１ｃ内に第２端子保持部材１３１が上方から進入し、第３端子２６１の接触部２６３が相対的に上昇して、第２端子１６１の接触部１６３と接触する。また、第３グラウンド部材２７１の接触部２７３も相対的に上昇し、第２シールド１７１の接続片１７５と、第２グラウンド端子１７６を介して、接触する。なお、第２取付金具１８１は、第１コネクタ１、第２コネクタ１０１及び第３コネクタ２０１を嵌合させる場合よりも、短いことが望ましい。
【００７３】
この場合のように、第２コネクタ１０１と第３コネクタ２０１とを嵌合させた機器２９０は、デイジーチェーンの途中に接続することはできないが、途中に接続している第２コネクタ１０１及び第３コネクタ２０１を使って、デイジーチェーンの末端に接続することができる。
【００７４】
このように、本実施の形態においては、第１コネクタ１は、第２コネクタ１０１及び第３コネクタ２０１と嵌合可能である。そして、第１ハウジング１１と、第１ハウジング１１に装填され、第３コネクタ２０１が備える第３端子２６１と接触可能なる第１端子６１と、第１ハウジング１１に装填され、少なくとも第２コネクタ１０１が備える第２端子１６１と接触可能なジャンパピン５１とを備え、第１端子６１は、第１ハウジング１１に接続される第１ケーブル９１が含む第１電線９２に接続可能な電線接続部６８と、第３端子２６１と接触可能な接触部６３とを含み、電線接続部６８と接触部６３とは、嵌合方向と直交する方向に関する位置がずれている。
【００７５】
これにより、第１コネクタ１は、第２コネクタ１０１及び第３コネクタ２０１と接続可能であり、簡素な構成で小型でありながらも、第１電線９２を機器２９０に接続するとともに、中継も可能であって、利便性を向上させることができる。そして、電線接続部６８と接触部６３とは、嵌合方向と直交する方向に関する位置がずれているので、第１コネクタ１の嵌合方向に関する寸法、すなわち、高さを抑制することができる。
【００７６】
また、第１端子６１とジャンパピン５１とは別個の部材である。さらに、第１電線９２の電線接続部６８と接続される部分は、嵌合方向に延在する。さらに、ジャンパピン５１は、第２端子１６１の接触部１６３内に進入して接触可能な上側接触部５３と、第３端子２６１の接触部２６３が進入して接触可能な下側接触部５８とを含んでいる。さらに、第１端子６１は、平面視において、第１ハウジング１１に斜めとなる方向に延在する列を形成するように配置される。さらに、第１端子６１は、平面視において、点対称となるように配置される。さらに、第１端子６１は第１端子保持下側部材３１Ｂに保持され、ジャンパピン５１は第１端子保持上側部材３１Ａに保持される。さらに、第１端子保持下側部材３１Ｂは、第１端子保持上側部材３１Ａの第３コネクタ２０１側に配設される。さらに、第１端子保持下側部材３１Ｂは、第１端子保持上側部材３１Ａに取付けられる。さらに、第１端子保持上側部材３１Ａはジャンパピン５１と一体化されている。さらに、第１端子保持下側部材３１Ｂは第１シールド７１を有し、第１シールド７１は、柔軟性を有する接続片７４ａを介して、第１ケーブル９１の第１ケーブルシールド９１ｂに接続されている。
【００７７】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００７８】
本開示は、コネクタに適用することができる。
【符号の説明】
【００７９】
１    第１コネクタ
１１    第１ハウジング
１１Ａ    第１ハウジング上側部
１１ａ、５２、６２、１６２、１８１ａ、２１１ａ、２６２、２８１ａ    本体部
１１ｂ、７３、１１１ｂ、１７３    側壁
１１ｄ、２１１ｄ    シール収容溝
１１ｅ    上側挿入ガイド
１１ｆ    下側挿入ガイド
１１Ｂ    第１ハウジング下側部
１２、１１２    取付金具挿通孔
１４    端子収容凸部
１４ａ    上面
１４ｂ    上側凸部
１４ｃ、２１１ｃ    端子収容凹部
１７    柔軟性中間部材
１７ａ    円弧部
１８    第１ケーブル接続部
１８Ａ    第１ケーブル接続上側部
１８Ａ１    上側蓋部
１８Ａ２    環状部
１８ａ、１１８ａ    内部空間部
１８Ｂ    第１ケーブル接続下側部
１９ａ    ロック部
１９ｂ    ロック爪
２８    上側緩衝部材
３０    端子ジャンパピン組立体
３１    第１端子保持部材
３１Ａ    第１端子保持上側部材
３１Ｂ    第１端子保持下側部材
３１ｂ、１３１ｂ    係止凹部
３１ｃ、６５、１６５    係止突起
３２    仕切壁
３２ａ    凹部
３３、２３１ａ    端子収容部
３４    ジャンパピン挿通孔
３４ａ    係合凹部
３５    凹溝
３５ａ    挿入部
３５ｂ    天面
５１    ジャンパピン
５２ａ、１７３ａ    係合片
５２ｂ    ピン側結合片
５３    上側接触部
５３ａ    第１突合せ部
５３ｂ    第２突合せ部
５８    下側接触部
６０    中継端子
６１    第１端子
６２ａ    端子側結合片
６３、１６３、２６３、２７３    接触部
６８、６８ａ、１６８、２６８、２７８    電線接続部
７１    第１シールド
７２、１１１ａ、１７２    天板
７４    第１ケーブル接続片
７４ａ、１７４ａ、１７５    接続片
７５    下側接続片
７５ａ、１７５ａ    係合開口
７６    上側接続片
９１    第１ケーブル
９１ａ    第１ケーブル外側被覆
９１ｂ    第１ケーブルシールド
９２    第１電線
９４    第１押さえリング
９５    第１ブッシュ
１０１    第２コネクタ
１１１    第２ハウジング
１１８    第２ケーブル接続部
１３１    第２端子保持部材
１３１ａ    突出部
１６１    第２端子
１７１    第２シールド
１７４    第２ケーブル接続片
１７６    第２グラウンド端子
１７６ａ    上側係合片
１７６ｂ    下側係合片
１８１    第２取付金具
１８２    ヘッド
１８３、２８２    連結部
１８４    Ｏ−リング
１９１    第２ケーブル
１９１ａ    第２ケーブル外側被覆
１９１ｂ    第２ケーブルシールド
１９２    第２電線
１９４    第２押さえリング
１９５    第２ブッシュ
２０１    第３コネクタ
２１１    第３ハウジング
２１１ｂ    端子収容壁
２１２    柔軟性底板
２２８    下側緩衝部材
２３１    第３端子保持部材
２３１ｂ    係合部
２６１    第３端子
２７１    第３グラウンド部材
２８１    第３取付金具
２８２ａ    収容空洞
２８３    取付部
２９０    機器
２９１    ケーシング
２９２    回転軸
８１１    ハウジング
８２１    接続ブロック
８６１    接続端子
８９１    ケーブル
８９２    導電線
【図１】
2020095944.tif 000003
【図２】
2020095944.tif 000004
【図３】
2020095944.tif 000005
【図４】
2020095944.tif 000006
【図５】
2020095944.tif 000007
【図６】
2020095944.tif 000008
【図７】
2020095944.tif 000009
【図８】
2020095944.tif 000010
【図９】
2020095944.tif 000011
【図１０】
2020095944.tif 000012
【図１１】
2020095944.tif 000013
【図１２】
2020095944.tif 000014
【図１３】
2020095944.tif 000015
【図１４】
2020095944.tif 000016
【図１５】
2020095944.tif 000017
【図１６】
2020095944.tif 000018
【図１７】
2020095944.tif 000019
【図１８】
2020095944.tif 000020
【図１９】
2020095944.tif 000021
【図２０】
2020095944.tif 000022
【図２１】
2020095944.tif 000023